(57)【要約】      （修正有）【課題】各種大きさのポータブル電子製品と結合可能なバーコード走査装置を提供する。【解決手段】ポータブル電子製品と結合可能なバーコード走査装置はキャリア１、付着部材２、走査アセンブリ３を備え、キャリア１は第一面１１と第二面１２を有し、付着部材２はキャリアの第一面１１に設置され、ポータブル電子製品５００はキャリア上の付着部材に対応して付着し、走査アセンブリ３はキャリアの第二面１２に設置され、相互に電気的に連接するバーコードスキャナー３２と伝送部材３４とを備える。バーコードスキャナーとポータブル電子製品との間は伝送部材を通して伝送される。【選択図】図１
0003202868.tif 000002
【実用新案登録請求の範囲】
【請求項１】
ポータブル電子製品と結合可能なバーコード走査装置は、キャリア、付着部材、走査アセンブリを備え、
該キャリアは、第一面と一第二面を備え、
該付着部材は、該キャリアの第一面に設置され、該ポータブル電子製品は、該キャリア上の付着部材付着に対応し、
該走査アセンブリは、該キャリアの第二面に設置され、該走査アセンブリは、相互に電気的に連接するバーコードスキャナーと伝送部材とを備え、該バーコードスキャナーと該ポータブル電子製品との間は、該伝送部材を通して伝送が行われることを特徴とするポータブル電子製品と結合可能なバーコード走査装置。
【請求項２】
前記付着部材は、複数回粘着性樹脂パッドで、
該複数回粘着性樹脂パッドの一面は、該キャリアの第一面に粘着し、該複数回粘着性樹脂パッドの該一面に相対する反対面は、該ポータブル電子製品の外表面に粘着することを特徴とする請求項１に記載のポータブル電子製品と結合可能なバーコード走査装置。
【請求項３】
前記付着部材は、多数の真空吸盤を含み、
該各真空吸盤は、該キャリアの第一面に固定されることを特徴とする請求項１に記載のポータブル電子製品と結合可能なバーコード走査装置。
【請求項４】
前記伝送部材は、伝送線で、
該バーコードスキャナーと該ポータブル電子製品との間は、該伝送線を通して有線伝送されることを特徴とする請求項１に記載のポータブル電子製品と結合可能なバーコード走査装置。
【請求項５】
前記伝送部材は、無線トランスミッターで、
該バーコードスキャナーと該ポータブル電子製品との間は、該無線トランスミッターを通して無線伝送されることを特徴とする請求項１に記載のポータブル電子製品と結合可能なバーコード走査装置。
【請求項６】
前記キャリアは、少なくとも１個の制限部を備え、
該ポータブル電子製品は、該少なくとも１個の制限部に従い、該キャリアと定位することを特徴とする請求項１に記載のポータブル電子製品と結合可能なバーコード走査装置。
【請求項７】
前記キャリアには、調整挟具を設置し、
該調整挟具は、第一伸縮挟体を備え、
該ポータブル電子製品は、該制限部と該第一伸縮挟体との間に挟まれて固定され、しかも該第一伸縮挟体は、該ポータブル電子製品の相応辺に対応して伸縮調整されることを特徴とする請求項６に記載のポータブル電子製品と結合可能なバーコード走査装置。
【請求項８】
前記キャリアには、調整挟具を設置し、
該調整挟具は、第一伸縮挟体と第二伸縮挟体を備え、
該ポータブル電子製品は、該第一伸縮挟体と該第二伸縮挟体との間に挟まれて固定され、しかも該第一伸縮挟体と該第二伸縮挟体とは、該ポータブル電子製品の相応辺にそれぞれ対応して伸縮調整されることを特徴とする請求項１に記載のポータブル電子製品と結合可能なバーコード走査装置。
【請求項９】
前記走査アセンブリはさらに、外殼とメイン回路板を備え、
該バーコードスキャナーと該メイン回路板とは共に、該外殼内に設置され、
該メイン回路板は、該バーコードスキャナーと該伝送部材との間に電気的連接されることを特徴とする請求項１に記載のポータブル電子製品と結合可能なバーコード走査装置。
【請求項１０】
前記走査アセンブリはさらに、コントロール本体と搭載フレームを備え、
該コントロール本体は、該キャリアの第二面に設置され、
該搭載フレームは、取り外し可能状に該コントロール本体に係合されて固定され、
該バーコードスキャナーは、取り外し可能状に該搭載フレームに設置され、該バーコードスキャナーと該伝送部材とは、それぞれ該コントロール本体に電気的連接されることを特徴とする請求項１に記載のポータブル電子製品と結合可能なバーコード走査装置。
【請求項１１】
前記バーコードスキャナーは、コネクターを備え、
該コントロール本体は、該コネクターに対応するドッキングコネクターを備え、
該バーコードスキャナーの該コネクターは、該コントロール本体のドッキングコネクターに抜き挿し可能状に挿入して設置されることを特徴とする請求項１０に記載のポータブル電子製品と結合可能なバーコード走査装置。
【請求項１２】
前記走査アセンブリはさらに、再充電可能電池を備え、
該伝送部材は、伝送線で、
該再充電可能電池は、該伝送線を通して、該ポータブル電子製品に充電することを特徴とする請求項１に記載のポータブル電子製品と結合可能なバーコード走査装置。
【請求項１３】
前記走査アセンブリはさらに、無線充電モジュールを備え、
該伝送部材は、伝送線で、
該無線充電モジュールは、該伝送線を通して、該ポータブル電子製品に対して充電することを特徴とする請求項１に記載のポータブル電子製品と結合可能なバーコード走査装置。
【請求項１４】
前記走査アセンブリにはさらに、充電及び読取モード切換スイッチを設置して露出することを特徴とする請求項１２或いは１３に記載のポータブル電子製品と結合可能なバーコード走査装置。
【請求項１５】
前記走査アセンブリにはさらに、外付け充電ジャックを設置して露出することを特徴とする請求項１に記載のポータブル電子製品と結合可能なバーコード走査装置。
【請求項１６】
前記走査アセンブリはさらに、読取アセンブリを含み、
該読取アセンブリは、磁気テープリーダー、ＩＣチップリーダー、無線射頻辨識（ＲＦＩＤ）リーダー或いはその組合せであることを特徴とする請求項１に記載のポータブル電子製品と結合可能なバーコード走査装置。
【考案の詳細な説明】
【技術分野】
【０００１】
本考案はバーコード走査装置に関し、特にポータブル電子製品と結合可能なバーコード走査装置に関する。
【背景技術】
【０００２】
バーコードスキャナーの領域においては、ポータブル電子製品（携帯電話端末或いはタブレットコンピューター等）の設計に対応したバーコードスキャナーがすでに開発されている。
これにより、バーコードスキャナーとポータブル電子製品とを結合し、走査したバーコードが表す情報をポータブル電子製品に伝送し、処理を行う。
【０００３】
しかし、従来のポータブル電子製品と結合するためのバーコードスキャナーは、ある種のポータブル電子製品のサイズに応じて設計、製造されているため、他のポータブル電子製品に使用することができない。
つまり、Ａバーコードスキャナーは、Ａポータブル電子製品にしか使用できず、Ｂバーコードスキャナーは、Ｂポータブル電子製品にしか使用できず、Ｃバーコードスキャナーは、Ｃポータブル電子製品にしか使用できない。
【０００４】
昨今、ポータブル電子製品は新旧交替のスピードが速いため、新しいＹポータブル電子製品のために、新たに研究費を費やして新しいＹバーコードスキャナーを設計し、古いバーコードスキャナーは廃棄するしかない、という状況が起きている。これでは資源、時間、コストの浪費である。
本考案は、従来のポータブル電子製品と結合可能なバーコード走査装置の上記した欠点に鑑みてなされたものである。
【先行技術文献】
【特許文献】
【０００５】
【特許文献１】特開平７−２５４０４１号公報
【考案の概要】
【考案が解決しようとする課題】
【０００６】
本考案が解決しようとする課題は、様々な大きさのポータブル電子製品に適用できるため、コストを低下させ、廃棄を回避し浪費を避ける効果を備えるポータブル電子製品と結合可能なバーコード走査装置を提供することである。
【課題を解決するための手段】
【０００７】
上記課題を解決するため、本考案は下記のポータブル電子製品と結合可能なバーコード走査装置を提供する。
ポータブル電子製品と結合可能なバーコード走査装置は、キャリア、付着部材、走査アセンブリを備える。
該キャリアは、第一面と第二面を備える。
該付着部材は、該キャリアの第一面に設置され、該ポータブル電子製品は、該キャリア上の付着部材付着に対応する。
該走査アセンブリは、該キャリアの第二面に設置され、該走査アセンブリは、相互に電気的に連接するバーコードスキャナーと伝送部材とを備える。
該バーコードスキャナーと該ポータブル電子製品との間は、該伝送部材を通して伝送が行われる。
【考案の効果】
【０００８】
従来の技術と比較し、本考案は様々な大きさのポータブル電子製品に適用できるため、コストを低下させ、廃棄を回避し浪費を避ける効果を備える。
【図面の簡単な説明】
【０００９】
【図１】本考案バーコード走査装置の第一実施形態とポータブル電子製品の間の立体分解図である。
【図２】図１の立体組合せ図である。
【図３】本考案バーコード走査装置の第二実施形態とポータブル電子製品の間の立体分解図である。
【図４】本考案バーコード走査装置の第三実施形態とポータブル電子製品の間の立体分解図である。
【図５ａ】本考案バーコード走査装置の第四実施形態とポータブル電子製品の間の立体分解図である。
【図５ｂ】図５ａの調整挟具に対する変形例図である。
【図６】本考案バーコード走査装置とポータブル電子製品を結合後の様々な機能を追加した局部拡大模式図である。
【考案を実施するための形態】
【００１０】
以下に図面を参照しながら本考案を実施するための最良の形態について詳細に説明する。
【００１１】
本考案によるポータブル電子製品と結合可能なバーコード走査装置は、図１に示すように、ポータブル電子製品５００（携帯電話端末或いはタブレットコンピューター等）を本考案バーコード走査装置１００に結合し、走査したバーコードが表す情報をポータブル電子製品５００に伝送し、後続の処理を行う。
【００１２】
図１と図２は、本考案の第一実施形態を示す、図３と図４はそれぞれ本考案の第二、第三実施形態を示し、図５ａと図５ｂは本考案の第四実施形態を示し、図６は第一〜四実施形態の局部拡大模式図である。
【００１３】
図１と図２に示すように、本考案バーコード走査装置１００の第一実施形態は、キャリア１、付着部材２及び走査アセンブリ３を有する。
【００１４】
該キャリア１は、第一面１１と第二面１２を有し、好ましくは、該キャリア１はさらに、少なくとも１個の制限部１３を備える。
【００１５】
本実施形態では、該キャリア１は好ましくは、辺枠のない平板で、そのためこのような平板上に様々な大きさのポータブル電子製品５００を固定でき、このような平板が備える第一面１１と第二面１２とは当然相互に相対する。
【００１６】
また、該キャリア１の上辺（或いは任意の辺）にはさらに、少なくとも１個の制限部１３を設置し、これにより該ポータブル電子製品５００は、該制限部１３に基づき、キャリア１と定位する。
【００１７】
すなわち、該ポータブル電子製品５００の上辺を、該制限部１３に接触させることで、該ポータブル電子製品５００は比較的正確に該キャリア１に定位される。
【００１８】
該付着部材２は、該キャリア１の第一面１１に設置され、これによりポータブル電子製品５００の外表面５は、該キャリア１上の付着部材２に対応して付着し、つまりポータブル電子製品５００は該付着部材２を通して該キャリア１に固定される。
【００１９】
本実施形態では、該付着部材２は、複数回粘着性樹脂パッド２１を例として説明し、該複数回粘着性樹脂パッド２１そのものは粘性を備え、複数回粘着が可能で、しかも複数回粘着性樹脂パッド２１は、相互に相対する一面と反対面を有する。
【００２０】
これにより、該複数回粘着性樹脂パッド２１の一面は、該キャリア１の第一面１１に粘着し、反対面は、ポータブル電子製品５００の外表面５に対応し、分離可能状に粘着し、こうして該複数回粘着性樹脂パッド２１を利用し、該キャリア１上に、各種大きさのポータブル電子製品５００を粘着させることができる。
【００２１】
該走査アセンブリ３は、該キャリア１の第二面１２に設置される。
【００２２】
該走査アセンブリ３は、相互に電気的に連接するバーコードスキャナー３２と伝送部材３４とを備え、これにより該バーコードスキャナー３２と該ポータブル電子製品５００との間は、該伝送部材３４を通して伝送される。
【００２３】
該バーコードスキャナー３２は、少なくとも１個の走査スイッチ３２１を備え、該走査スイッチ３２１は、該外殼３１に露出し、指による操作に便利である。
【００２４】
本実施形態では、該走査アセンブリ３は、外殼３１とメイン回路板３３を含む形態を例として説明する。
【００２５】
該バーコードスキャナー３２と該メイン回路板３３はともに、該走査アセンブリ３の外殼３１内に設置され、該メイン回路板３３は、該バーコードスキャナー３２と該伝送部材３４との間に電気的に連接される。
【００２６】
また、該伝送部材３４は、本実施形態中では、伝送線３４１を例として説明する。
【００２７】
図に示すように、該伝送線３４１の自由端は、該ポータブル電子製品５００に抜き挿し可能状に挿入して接続され、これにより該バーコードスキャナー３２と該ポータブル電子製品５００との間は、該伝送線３４１を通して、有線伝送される。
【００２８】
例えば、該バーコードが表す情報を、ポータブル電子製品５００に伝送し、該ポータブル電子製品５００により後続の処理を行う。
【００２９】
図３は、本考案バーコード走査装置１００の第二実施形態を示し、本第二実施形態と第一実施形態とはおおよそ相同であるが、付着部材２にのみ違いがある。
【００３０】
図に示すように、第二実施形態の付着部材２は、多数の真空吸盤２２を備え、該各真空吸盤２２は、該キャリア１の第一面１１に固定され、これにより該各真空吸盤２２は、該ポータブル電子製品５００の外表面５に対応し、分離可能状に吸着する。
【００３１】
こうして、該真空吸盤２２を利用し、該キャリア１上に各種大きさのポータブル電子製品５００を吸着することができる。
【００３２】
図４は、本考案バーコード走査装置１００の第三実施形態を示し、本第三実施形態と第一実施形態とはおおよそ相同であるが、走査アセンブリ３ａのみが第一実施形態とは異なる。
【００３３】
第一実施形態の走査アセンブリ３は、全体式構造であるが、本第三実施形態の走査アセンブリ３ａは、分離式構造である。
【００３４】
図に示すように、第三実施形態の走査アセンブリ３ａは、コントロール本体３５と搭載フレーム３６をさらに備える。
【００３５】
該コントロール本体３５は、該キャリア１の第二面１２に設置され、該搭載フレーム３６は、該第二面１２に取り外し可能状に係合され、該コントロール本体３５に固定される。
【００３６】
該バーコードスキャナー３２ａは、独立個体で、取り外し可能状に該搭載フレーム３６に設置し、しかも該搭載フレーム３６により、該バーコードスキャナー３２ａを堅固に支える。
【００３７】
こうして、該バーコードスキャナー３２ａと該コントロール本体３５との間は、後述のコネクター３２２とドッキングコネクター３５２によってのみのサポートではなく、該搭載フレーム３６により、該コントロール本体３５に置いて支えられるため、より堅固なサポート性を備える。
【００３８】
該搭載フレーム３６が該コントロール本体３５に係合して固定されると同時に、該バーコードスキャナー３２ａは該コントロール本体３５に自然に電気的に連接される。
【００３９】
本実施形態では、バーコードスキャナー３２ａとコントロール本体３５の電気的連接方式は、以下の例により説明する。
【００４０】
該バーコードスキャナー３２ａには、第一回路板３３１を設置し、該コントロール本体３５には、第二回路板３３２を設置する。
【００４１】
該バーコードスキャナー３２ａにはさらに第一回路板３３１に電気的に連接するコネクター３２２を設置し、突出する。
【００４２】
該コントロール本体３５にはさらに第二回路板３３２に電気的に連接するドッキングコネクター３５２を設置して露出し、しかも該ドッキングコネクター３５２は、コネクター３２２に対応する。
【００４３】
これにより、該搭載フレーム３６が、該コントロール本体３５に係合されて固定されると同時に、該バーコードスキャナー３２ａのコネクター３２２は、抜き挿し可能状に自然に該コントロール本体３５のドッキングコネクター３５２に挿入して接続される。
【００４４】
また、該搭載フレーム３６と該コントロール本体３５との間の係合は、主に該搭載フレーム３６に設置する多数の係合部材３６１による。
【００４５】
コントロール本体３５には、該各係合部材３６１に対応する多数の係合部３５１を設置し、これにより該各係合部材３６１は、該各係合３５１に対応して係合される。
【００４６】
図５ａと図５ｂは、本考案バーコード走査装置１００の第四実施形態を示し、本第四実施形態と第一実施形態とはおおよそ相同であるが、該キャリア１に調整挟具１５を増設する点が異なり、これにより該ポータブル電子製品５００の該キャリア１における堅固性と保護性を向上させる。
【００４７】
図５ａに示すように、該調整挟具１５は、第一伸縮挟体１５１を備え、しかも該第一伸縮挟体１５１は、該キャリア１の一辺に対応し調整可能状に伸縮する。
【００４８】
これにより、ポータブル電子製品５００は、該制限部１３と該第一伸縮挟体１５１との間に挟まれて固定される。
【００４９】
しかも、該第一伸縮挟体１５１は、該ポータブル電子製品５００の相応する辺に対して伸縮調整される。
【００５０】
本実施形態では、図５ｂに示すように、該調整挟具１５は、第二伸縮挟体１５２を備える形態を例として説明する。
【００５１】
しかも、該第二伸縮挟体１５２は、該制限部１３に置換でき、該キャリア１のもう一方の辺に相対して調整し、可能状に伸縮し、これにより該第一伸縮挟体１５１と該第二伸縮挟体１５２は、ポータブル電子製品５００の相応辺に対応してそれぞれ伸縮して調整する。
【００５２】
これにより、様々な大きさのポータブル電子製品５００は、該付着部材２を利用し、該キャリア１の第一面１１に付着する他、調整挟具１５を利用し、より堅固に該キャリア１に固定され、該ポータブル電子製品５００に対する保護性を向上させることができる。
【００５３】
図６は、第一〜四実施形態において増えた様々な機能の局部拡大模式図である。
【００５４】
上述の伝送部材３４は、無線トランスミッター３４２（ブルートゥース等）で、該バーコードスキャナー３２（３２ａ）と該ポータブル電子製品５００との間は、該無線トランスミッター３４２を通して無線伝送を行い、無線伝送で、各種情報をポータブル電子製品５００に伝送することができる。
【００５５】
当然、該伝送部材３４は同時に、伝送線３４１と無線トランスミッター３４２の型式（図６参照）とすることができ、この時の伝送線３４１は、ポータブル電子製品５００に対する有線充電に用いる。
【００５６】
該走査アセンブリ３（３ａ）はさらに、無線充電モジュール３３３、再充電可能電池３３４、読取アセンブリ３３５を備え、しかも該走査アセンブリ３（３ａ）には、充電及び読取モード切換スイッチ３７、外付け充電ジャック３８を設置できる。
【００５７】
該再充電可能電池３３４は、伝送部材３４（ここでは伝送線３４１を指す）を通して、該ポータブル電子製品５００に対して有線充電を行う。
【００５８】
或いは、ポータブル電子製品５００そのものが、無線充電機能を備えない時には、無線充電モジュール３３３及び伝送線３４１を通して、該ポータブル電子製品５００に対して有線充電することもできる。
【００５９】
つまり、本考案バーコード走査装置１００にすでに結合したポータブル電子製品５００において、該ポータブル電子製品５００そのものが無線充電機能を備えなくとも、本考案のバーコード走査装置１００を無線充電プラットフォーム（図示なし）上に置くと、該無線充電モジュール３３３が反応して生じる電力は、該伝送線３４１を通して、該ポータブル電子製品５００に伝送され有線充電を行う。
【００６０】
該充電及び読取モード切換スイッチ３７は、該走査アセンブリ３（３ａ）に設置されて露出し、これにより充電が必要で充電モードに切り換える、或いはバーコードの走査と読み取りを行う時には読み取りモードに切り換える。
【００６１】
また、充電モードでは、ポータブル電子製品５００（タッチパネル式のスマートフォン或いはタブレットコンピューター）のバーチャルキーボードを呼び出し、操作することができる。
【００６２】
該外付け充電ジャック３８も該走査アセンブリ３（３ａ）に設置されて露出し、該走査アセンブリ３（３ａ）が再充電可能電池（図示なし）を備えない時、或いは再充電可能電池３３４にすでに電力がない時には、外付けケーブル（図示なし）を利用し、該外付け充電ジャック３８と給電電源（図示なし）との間を接続する。
【００６３】
これにより、該外付け充電ジャック３８と該伝送線３４１とを通して、該ポータブル電子製品５００に対して充電する。
【００６４】
該読取アセンブリ３３５は、磁気テープリーダー（磁気テープを備える磁気テープカードを読み取る）、ＩＣチップリーダー（ＩＣチップを備えるＩＣチップカードを読み取る）或いはＲＦＩＤリーダーである。
【００６５】
当然、該読取アセンブリ３３５は同時に、磁気テープリーダー、ＩＣチップリーダー、ＲＦＩＤリーダーを備えることができ、これについて本考案は制限されない。
【００６６】
上記を総合すると、本考案は従来の技術に比べ、以下の効果を備える。
【００６７】
キャリア１は辺枠を備えず、また付着部材２の付着能力により、キャリア１上に各種大きさのポータブル電子製品５００を設置できるため、本考案バーコード走査装置１００は各種大きさのポータブル電子製品５００に適用でき、コストを低下させ、廃棄を回避し浪費を避ける効果を備える。
【００６８】
調整挟具１５を増設することで、キャリア１上に各種大きさのポータブル電子製品５００を堅固に固定でき、ポータブル電子製品５００に対する保護性を拡大できる。
【００６９】
制限部１３により、ポータブル電子製品５００は比較的正確にキャリア１に定位され、搭載フレーム３６によりバーコードスキャナー３２ａを堅固に支えることで、バーコードスキャナー３２ａとコントロール本体３５との間はより堅固なサポート性を備える。
【００７０】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００７１】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００７２】
１００  バーコード走査装置
１  キャリア
１１  第一面
１２  第二面
１３  制限部
１５  調整挟具
１５１  第一伸縮挟体
１５２  第二伸縮挟体
２  付着部材
２１  複数回粘着性樹脂パッド
２２  吸盤
３、３ａ  走査アセンブリ
３１  外殼
３２、３２ａ  バーコードスキャナー
３２１  走査スイッチ
３２２  コネクター
３３  メイン回路板
３３１  第一回路板
３３２  第二回路板
３３３  無線充電モジュール
３３４  再充電可能電池
３３５  読取アセンブリ
３４  伝送部材
３４１  伝送線
３４２  無線トランスミッター
３５  コントロール本体
３５１  係合部
３５２  ドッキングコネクター
３６  搭載フレーム
３６１  係合部材
３７  充電及び読取モード切換スイッチ
３８  外付け充電ジャック
５００  ポータブル電子製品
５  外表面
【図１】
0003202868.tif 000003
【図２】
0003202868.tif 000004
【図３】
0003202868.tif 000005
【図４】
0003202868.tif 000006
【図５ａ】
0003202868.tif 000007
【図５ｂ】
0003202868.tif 000008
【図６】
0003202868.tif 000009